(57)【特許請求の範囲】
【請求項１】
予め用意された記憶手段に電話番号に対応させた音名を記憶しておき、着信信号と共に供給される発信元電話番号に対応する音名の列を着信音として発生する電話装置であって、
予め市外局番データを記憶する市外局番記憶手段と、
電話回線より着信信号と共に供給される発信者電話番号とを検出する信号検出手段と、
前記発信者電話番号と前記市外局番データから番号比較して市外局番とそれ以外の電話番号とに分ける分割手段と、
前記信号検出手段にて検出された発信者電話番号を音名情報に変換する音名変換手段と、
前記分割手段から供給される電話番号に基づいて音名時間を決定する時間情報付与手段と、
前記音名変換手段にて変換された音名情報と前記時間情報付与手段にて決定された時間情報を音のデータとして蓄積するバッファと、
このバッファに蓄積されている前記音のデータである音名情報と時間情報をもとにメロディを発生させる着信音発生手段と、
この着信音発生手段から出力されるメロディを音声として出力するスピーカとを有することを特徴とする電話装置。
【請求項２】
前記時間情報付与手段は、市外局番とそれ以外の番号に対応する音名の発生時間を決定するとともに、市外局番を表す音列と市内局番を表す音列の間に休符を入れ、着信音１フレーズの長さを、それが構成される音の最小単位長さの偶数倍となるよう最後の番号のあとに休符を入れるようにしたことを特徴とする請求項１記載の電話装置。
【発明の詳細な説明】
【０００１】
【発明の属する技術分野】
本発明は、電話装置に係り、特に着信音によって発信者を識別する電話装置に関するものである。
【０００２】
【従来の技術】
従来より、携帯電話等では公共の場所などで他の人の電話装置の着信音と区別するために、あらかじめ数種類の着信音パターンを内蔵しており，ユーザが好みのパターンを選択して置くことにより、他の人と区別して使用できるようになっている。そして、複数のメロディーパターンを内蔵しておき、これらをいくつか組み合わせて自分だけのオリジナル着信音を創ることも可能とした電話装置もある。
【０００３】
また、最近では、発信電話番号表示サービスが普及している。これは、発信側の電話番号を着信側の電話装置に表示して着信側のユーザに知らせるものである。そして、この発信電話番号表示サービスを利用した応用サービスとして、電話装置に発信者電話番号とその電話番号に対応して氏名やメロディーをあらかじめ登録しておくことにより、着信時に氏名を表示したり、特定の着信音を鳴らしたりすることができる。
【０００４】
そして、本願出願人は、先に特開平１０−２３３８２２号公報に開示されているような、電話番号に対応させた音名を記憶しておき、発信元電話番号に対応する音名の列を着信音として発生させるという、受信者側にとって極めて便利な発明をした。
【０００５】
【発明が解決しようとする課題】
しかしながら、前記の発明では、１０個の音で作られるメロディを覚える必要があり、より簡単に発信元を識別できる装置が望まれるものであった。
そこで、本発明は、市外局番を後に続く番号とは区別し、２種類のメロディを、発信者を特定するための要素として提供することにより、発信者を識別しやすくするための電話装置を提供することを目的とする。
【０００６】
【課題を解決するための手段】
本発明の電話装置は、上記課題を解決するために、以下の１）及び２）の手段よりなる。
すなわち、
１）予め用意された記憶手段に電話番号に対応させた音名を記憶しておき、着信信号と共に供給される発信元電話番号に対応する音名の列を着信音として発生する電話装置であって、
予め市外局番データを記憶する市外局番記憶手段と、
電話回線より着信信号と共に供給される発信者電話番号とを検出する信号検出手段と、
前記発信者電話番号と前記市外局番データから番号比較して市外局番とそれ以外の電話番号とに分ける分割手段と、
前記信号検出手段にて検出された発信者電話番号を音名情報に変換する音名変換手段と、
前記分割手段から供給される電話番号に基づいて音名時間を決定する時間情報付与手段と、
前記音名変換手段にて変換された音名情報と前記時間情報付与手段にて決定された時間情報を音のデータとして蓄積するバッファと、
このバッファに蓄積されている前記音のデータである音名情報と時間情報をもとにメロディを発生させる着信音発生手段と、
この着信音発生手段から出力されるメロディを音声として出力するスピーカとを有することを特徴とする電話装置。
【０００７】
２）前記時間情報付与手段は、市外局番とそれ以外の番号に対応する音名の発生時間を決定するとともに、市外局番を表す音列と市内局番を表す音列の間に休符を入れ、着信音１フレーズの長さを、それが構成される音の最小単位長さの偶数倍となるよう最後の番号のあとに休符を入れるようにしたことを特徴とする請求項１記載の電話装置。
【０００８】
【発明の実施の形態】
以下、本発明の電話装置の実施の形態につき、この好ましい実施例により説明する。
本実施例の電話装置は、発信電話番号表示サービスを利用するものである。０〜９の各番号にド〜（１オクターブ上の）ミの音名（音の高さ）をそれぞれ対応させて記憶しておき、供給される発信電話番号に対応する音名の列を、市外局番部は４分音符の長さ(例えば300msec)で、後に続く番号を８分音符の長さ（150msec）にし、さらに市外局番と後の番号との間に四分休符、最後の番号の後に８分休符を入れ一つのフレーズとし、これを繰り返し鳴らすことにより、発信者を地域と番号が示す短いメロディで容易に識別することができる。
【０００９】
発信電話番号表示サービスに対応した着信信号には、発番号パラメータと呼ばれる情報が含まれている。そして、この発番号パラメータには、電話番号の「表示可」を示す「００」または「表示不可」を示す「０１」が設定されている表示識別子と、発信者電話番号がそれぞれ４ビットのデータで表されている９個のアドレス情報とを含んでいる。
【００１０】
図１及び図２により、本実施例の電話装置の構成及び動作につき順次説明する。
図１は、その実施例に係る電話装置の主要部分を示す構成図で、図２はその動作を説明するためのチャートである。
まず、信号検出手段１に電話回線から着信信号が供給されると、信号検出手段１は、表示識別子が「表示可」か「表示不可」を検出する（ステップ１１）。そして、「表示不可」の場合には（ステップ１１→Ｎｏ）、ベル音発生手段８とスピーカ７に信号を供給して、受信者が受話器を取り上げるか着信信号が供給されなくなるまで通常の着信音を鳴らす（ステップ２２→ステップ２３）。
【００１１】
表示識別子が「表示可」の場合には（ステップ１１→Ｙｅｓ）、第１アドレス情報〜第９アドレス情報に格納されている発信者番号の検出を行う（ステップ１２、１３，１４）。
【００１２】
つぎに市外局番辞書２ａと信号検出手段１で検出された発信者番号とを照合し（ステップ１５）、市外局番とそれ以外に分ける番号分割手段２にて発信者番号の市外局番部を判別し、市外局番とそれを除く番号とに分け（ステップ１６）、それぞれ音名変換手段３にて音名に変換される（ステップ１７）。そして、その情報が時間情報付与手段４に供給されて市外局番は４分音符の長さ、その他の番号は８分音符の長さが（時間が２対１の関係）与えられる（ステップ１８）。さらに市外局番とその他の番号の間に４分休符を入れる。そして、着信音１フレーズの長さがそれを構成する音の最小単位長さの倍数となるよう最後の番号のあとに休符を入れる（ステップ１８）。そして、市外局番を表す音列、休符、市外局番を除く番号を表す音列、休符の順でバッファ５に蓄積し（ステップ１９）、着信音発生手段６によりその記憶した順番で各音列を呼び出してスピーカ７を介して音を発生し（ステップ２０）、これに気づいた受信者がオフフックすることになる（ステップ２１）。
【００１３】
更に、前述の時間情報付与手段４の詳細な動作につき、図３のフローチャートを用いて説明する。
ここでは市外局番部を４分音符の長さ(300msec)、それ以外の番号部を８分音符の長さ(150msec)に割り当てられているものとする．市外局番及びそれ以外の番号が入力されると（ステップ２４）、市外局番及びそれ以外の番号に対応する音名に、それぞれ４分音符、８分音符を与える（ステップ２５）。次に市外局番とそれ以外の番号との間に市外局番と同じ長さの休符（４分休符＝300msecの無音）を入れる（ステップ２６）。全体の長さを計算して（ステップ２７）、１フレーズが収まり良くまとまるように、音符の最小単位の偶数であれば４分休符を入れ（ステップ３０）、奇数であれば８分休符を最後に入れる（ステップ２９）。本実施例の場合、４分休符と８分休符とを入れることにより、４／４拍子となるよな聴感上収まりの良いフレーズにする。
【００１４】
また、更に前述の音名変換手段３は、例えば、図４に示すように発信者電話番号の各番号を示すアドレス情報に対応させて音名が定義されているテーブルを具備し、番号「０」を示すアドレス情報「００００」に対して音名「ド」（図中、「ド１」と表示）が対応しており、以下、順に、番号「１，２，３・・・，９」に対して音名「レ（図中、レ１），ミ（図中、ミ１），ファ，・・・，（１オクターブ上の）ミ（図中、ミ２）」が対応している。
【００１５】
また、図５は本実施例０１３−６５８７０２４の場合の着信音データである。上段ｎは音の送出順番であり，その順で、音名が示す音の高さで、示された時間の分だけ音が鳴り着信音１フレーズが完成する。バッファ５には１フレーズの着信音が音のデータとして蓄積され、着信音発生手段６では、前記のアドレス情報に対応した音名に基いて例えば周知の構成による予め用意された音源等から前記時間情報に対応してメロディを発生させ、スピーカ７より鳴らすものである。受信者が受話器を取り上げるか着信信号が供給されなくなるまで繰り返しバッファ５を再生する。
図６は本実施例０１３−６５８７０２４の着信音を楽譜で示した。この例は時間情報付与手段において、１フレーズが構成する音の最小単位長さの奇数倍であることから最後に８分休符を入れているが、偶数倍である場合たとえば０２−４３８１５７９６では図７のように最後は４分休符となる。
【００１６】
このように着信音を２つのメロディで構成することにより、どの地域からのだれかを識別することができる。識別の方法として例えば市外局番部を無視して（聞かないで）、短いメロディで発信者を特定できるだろうし（市外局番以外が全く同じ番号である友人が多くいるとは考えにくいため）、あるいは市外局番で田舎に住む祖父母かもしれない、との予想ができる。また発信番号が異なると着信音も必然的に変わるので、単にリズミカルなフレーズを楽しみながら電話に出る、ということもできる。これは電話装置製造時に番号に対応させた音を登録しておくだけで良いので、ユーザがあらかじめメロディ等を作成する必要はなく、また、相手毎にメロディを登録しておく必要はない。
なお、前述の市外局番辞書２ａへの登録において、携帯電話等の発信番号を示す［０９０］や［０１２０］も市外局番と同等に扱うようにしても良く、その場合には地域別の区別と同様に設置電話機からの発信か携帯電話等からの発信かの区別ができるようになる。
【００１７】
【発明の効果】
本発明の電話装置は、発信電話番号に対応した着信音のメロディを自動的に作成しているので、あらかじめ発信者ごとにメロディを登録するなどの面倒な操作を必要とせずに、着信音だけで発信者を識別することができる。また、発信電話番号ごとに異なる着信音となるため、すべての発信者に対して異なる着信音を鳴らすことができる。着信音は市外局番と後に続く番号とをリズムを変えるなどして区別された２つのメロディが鳴るので、容易に発信者を識別することができる。
そして、このような電話装置ではユーザにも予想できないユニークなメロディの着信音が鳴ることもあり、遊び感覚で利用することもできる。さらに、携帯電話等に使用した場合には、着信音がユニークなので、人の多い公共の場所でも、電話がかかってきたときに、すぐに自分宛の電話であることが分かるという効果がある。
【図面の簡単な説明】
【図１】本発明の電話装置の一実施例の主要部分を示す構成図である。
【図２】本実施例に係る電話装置の動作を説明するためのフローチャート図である。
【図３】音名変換手段３のフローチャート図である。
【図４】音名変換手段３内のテーブルの構成例を示す説明図である。
【図５】バッファ内の構成例を示す説明図である。
【図６】着信音の例を示す楽譜である。
【図７】着信音の他の例を示す楽譜である。
【符号の説明】
１  信号検出手段
２  番号分割手段
２ａ  市外局番辞書
３  音名変換手段
４  時間情報付与手段
５  バッファ
６  着信音発生手段
７  スピーカ
８  ベル音発生手段
【図１】
0003748177.tif 000002
【図２】
0003748177.tif 000003
【図３】
0003748177.tif 000004
【図４】
0003748177.tif 000005
【図５】
0003748177.tif 000006
【図６】
0003748177.tif 000007
【図７】
0003748177.tif 000008